(57)【要約】【課題】スライドの状態に応じた３つの使用形態を有した携帯機器を提供することを課題とする。【解決手段】本実施例の携帯電話機は、所定範囲を直線状にスライド可能に連結された本体部１０及び表示部２０と、本体部１０及び表示部２０側にそれぞれ連結された一端及び他端を有し、本体部１０及び表示部２０をスライド範囲の両端位置及び途中位置に維持させる付勢部材５０と、を備えている。付勢部材５０は、コイル状に巻かれたコイル部５１ａ、５１ｂ、コイル部５１ａと連続し本体部１０側と連結した腕部５３ａ、コイル部５１ｂから連続し表示部２０側と連結した腕部５３ｂ、コイル部５１ａ、５１ｂを連結する連結部５５、を含む。【選択図】図２
2010233127.tif 000002
【特許請求の範囲】
【請求項１】
所定範囲を直線状にスライド可能に連結された第１及び第２筐体と、
前記第1及び第２筐体側にそれぞれ連結された一端及び他端を有し、前記第1及び第２筐体をスライド範囲の両端位置及び途中位置に維持させる付勢部材と、を備えた携帯機器。
【請求項２】
前記付勢部材は、コイル状に巻かれた第1及び第２コイル部、前記第１コイル部と連続し前記第１筺体側と連結した第１腕部、前記第２コイル部から連続し前記第２筺体側と連結した第２腕部、前記第１及び第２コイル部を連結する連結部、を含む、請求項１の携帯機器。
【請求項３】
前記第１及び第２コイル部の径、前記第１及び第２コイル部の巻数、前記第１及び第２コイル部の太さ、前記第１及び第２腕部の長さ、のうち少なくとも一つが相違している、請求項２の携帯機器。
【請求項４】
前記途中位置において、前記第１腕部は、スライド方向と直交する方向に沿い、前記第２腕部及び連結部は、スライド方向に沿う、請求項２又は３の携帯機器。
【請求項５】
前記途中位置において、前記第１腕部と前記連結部との角度と、前記第２腕部と前記連結部との角度とは、異なっている、請求項２乃至４の何れかの携帯機器。
【請求項６】
前記第１及び第２筐体の少なくとも一方側には、前記付勢部材と当接して前記途中位置を規定する規制部が設けられている、請求項１乃至５の何れかの携帯機器。
【請求項７】
前記第１及び第２筺体側にはそれぞれ、前記途中位置において異極同士で向かい合う第１及び第２磁石が設けられている、請求項１乃至６の何れかの携帯機器。
【請求項８】
前記第１及び第２筺体の何れか一方側に、第１及び第２操作部が設けられ、
前記第１及び第２筺体が前記スライド範囲の途中位置に維持された状態では前記第１操作部が露出され、
前記第１及び第２筺体が前記スライド範囲の一端位置に維持された状態では前記第１及び第２操作部が露出される、請求項１乃至７の何れかの携帯機器。
【発明の詳細な説明】
【技術分野】
【０００１】
本発明は携帯機器に関する。
【背景技術】
【０００２】
第１及び第２筺体とが直線状にスライドする携帯機器が知られている。このような第１及び第２筺体は、スライド範囲の両端位置でのみ停止可能である。
【先行技術文献】
【特許文献】
【０００３】
【特許文献１】特開２００８−１６０２６１号公報
【特許文献２】特開２００８−１５４１９７号公報
【発明の概要】
【発明が解決しようとする課題】
【０００４】
従って、携帯機器の使用形態は、スライド範囲の一端で停止した状態と、スライド範囲の他端で停止した状態との２つがある。本発明者らは、スライド式の携帯機器の使用形態が２つある場合、使用状況によっては使いにくい場合が起こり得ることを見出した。特に、スライド範囲が大きいほどこのような状況が起こり得ることを見出した。
【０００５】
本発明は、スライドの状態に応じた３つの使用形態を有した携帯機器を提供することを目的とする。
【課題を解決するための手段】
【０００６】
本明細書に開示の携帯機器は、所定範囲を直線状にスライド可能に連結された第１及び第２筐体と、前記第1及び第２筐体側にそれぞれ連結された一端及び他端を有し、前記第1及び第２筐体をスライド範囲の両端位置及び途中位置に維持させる付勢部材と、を備えている。
【発明の効果】
【０００７】
スライドの状態に応じた３つの使用形態を有した携帯機器を提供できる。
【図面の簡単な説明】
【０００８】
【図１】実施例１の携帯電話機の分解斜視図。
【図２】実施例１の携帯電話機のスライドの説明図。
【図３】付勢部材の付勢力を示したグラフ。
【図４】実施例２の携帯電話機のスライドの説明図。
【図５】実施例３の携帯電話機の分解斜視図。
【図６】実施例３の携帯電話機のスライドの説明図。
【図７】実施例４の携帯電話機の分解斜視図。
【図８】実施例４の携帯電話機のスライドの説明図。
【発明を実施するための形態】
【０００９】
以下、複数の実施形態について説明する。なお、携帯機器は例えば携帯電話機である。
【実施例１】
【００１０】
図１Ａ、１Ｂは、実施例１の携帯電話機の分解斜視図である。図２Ａ〜２Ｅは、実施例１の携帯電話機のスライドの説明図である。図１Ａは、後述する全閉状態、図１Ｂは、全開状態での携帯電話機を示しており、図２Ａ〜２Ｅは、閉状態から半開状態、半開状態から全開状態への移行を示している。図２Ａは、全開状態、図２Ｃは、半開状態、図２Ｅは、全開状態を示している。
【００１１】
携帯電話機は、図１Ａ、１Ｂに示すように、互いにスライド可能に連結された本体部（第１筐体）１０、表示部（第２筺体）２０を含む。表示部２０の前面には、常に露出状態にあるディスプレイ２２が設けられている。図２Ｅに示すように、本体部１０には、全開状態において露出されるテンキー１２、ファンクションキー１４が設けられている。また、図２Ｃの半開状態においては、テンキー１２のみが露出される。テンキー１２は、第１操作部、ファンクションキー１４は、第２操作部に相当する。
【００１２】
本体部１０と表示部２０との間には、図１Ａ、１Ｂに示すように、ベース板３０、スライダ４０、付勢部材５０が配置されている。ベース板３０は、表示部２０と対向する本体部１０の前面側に固定されている。スライダ４０は、本体部１０と対向する表示部２０の背面側に固定されている。ベース板３０の左右の縁部には、ガイド部３１が設けられている。スライダ４０の左右の縁部には、レール部４１が設けられている。ガイド部３１とレール部４１とは互いにスライド可能に係合する。これにより、本体部１０と表示部２０とは、所定範囲を直線状にスライド可能に連結されている。スライド範囲の両端位置は、全開及び全閉状態に対応しており、スライド範囲の途中位置は、半開状態に対応している。全開及び全閉状態は、本体部１０側と表示部２０側とにそれぞれ設けられた不図示のストッパにより規定される。
【００１３】
本体部１０と表示部２０とは、フレキシブルプリント基板７０により電気的に接続されている。スライダ４０には、フレキシブルプリント基板７０を逃すための切欠部４７が設けられている。
【００１４】
本体部１０とスライダ４０との間には、付勢部材５０が配置されている。付勢部材５０は、一端が本体部１０に、他端がスライダ４０に連結されている。換言すれば、付勢部材５０の他端は、表示部２０側に連結されている。付勢部材５０は、本体部１０と表示部２０とのスライドを補助する。詳細には、付勢部材５０は、全閉及び半開状態間の移行、半開及び全開状態間の移行を補助する。
【００１５】
付勢部材５０の構造について簡単に説明する。
図１Ａに示すように、付勢部材５０は、コイル部５１ａ、５１ｂ、腕部５３ａ、５３ｂ、連結部５５を含む。腕部５３ａの端部は、本体部１０側に連結されている。腕部５３ｂの端部は、表示部２０側に連結されている。付勢部材５０は、２つの弾性体を直列に連続した形状を有している。コイル部５１ａ、５１ｂは、略同一形状である。腕部５３ａの長さは、腕部５３ｂよりも短い。腕部５３ａ、５３ｂは、連結部５５に対して互いに異なる方向に延びている。コイル部５１ａ、５１ｂは、連結部５５に対して互いに異なる位置に設けられている。
【００１６】
図１Ａ、図２Ａの状態は、本体部１０と表示部２０とが互いに重なった全閉状態を示している。全閉状態から、表示部２０が本体部１０に対して上方に押されると、表示部２０が本体部１０上をスライドし図２Ｂに示すように表示部２０により隠蔽されていたテンキー１２が露出し始める。更に、表示部２０が本体部１０に対して上方に押されると、テンキー１２が完全に露出して、図２Ｃに示すように、半開状態へと移行する。半開状態においては、付勢部材５０の付勢力の作用により、表示部２０は、停止する。詳しくは後述する。
【００１７】
半開状態から、表示部２０が本体部１０に対して上方に押されると、図２Ｄに示すように表示部２０により隠蔽されていたファンクションキー１４が露出し始める。更に、表示部２０が本体部１０に対して上方に押されると、ファンクションキー１４が完全に露出して、図２Ｅに示すように、全開状態へと移行する。尚、付勢部材５０は、表示部２０のスライド状態によらずに常に本体部１０と表示部２０とにより隠蔽される。
【００１８】
状態の移行に伴う付勢部材５０の変形について説明する。
全閉状態において図２Ａに示すように、腕部５３ａ、５３ｂが互いにスライド方向を向き、連結部５５は、スライド方向とほぼ直交する方向を向く。尚、この状態においては、弾性復元力により、腕部５３ａと連結部５５とは、コイル部５１ａを中心として更に開こうとする。また、腕部５３ｂと連結部５５とは、コイル部５１ｂを中心として更に開こうとする。これにより、付勢部材５０は表示部２０を全閉状態に維持する。
【００１９】
全閉状態から僅かにスライドすると、図２Ｂに示すように、コイル部５１ａ、５１ｂはそれぞれ相対的に下方、上方にずれる。この状態では、腕部５３ａと連結部５５とが開こうとし、腕部５３ｂと連結部５５とについても同様である。従って、図２Ｂの状態においては、付勢部材５０は、全閉状態へ戻そうとする付勢力を表示部２０に作用させる。
【００２０】
更にスライドすると、表示部２０は半開状態となり、図２Ｃに示すように、腕部５３ａと連結部５５とが更に開く。腕部５３ｂと連結部５５とは、互いに略平行となるように閉じる。腕部５３ａは、スライド方向と直交する方向に沿った状態となる。腕部５３ｂ、連結部５５は、スライド方向に沿った状態となる。腕部５３ｂと連結部５５との角度は、腕部５３ａと連結部５５との角度よりも小さい。したがって、半開状態では、腕部５３ｂと連結部５５との間には開こうとする付勢力が作用する。このため半開状態では、付勢部材５０の付勢力の、スライド方向の成分は減少する。これにより、半開状態でスライドが停止する。
【００２１】
半開状態より更に表示部２０をスライドさせると、図２Ｄに示すように、腕部５３ａと連結部５５とが閉じ、腕部５３ｂと連結部５５とが開き始める。これにより、付勢部材５０の付勢力のスライド方向の成分が徐々に増えはじめる。
【００２２】
更に、表示部２０をスライドさせると、付勢部材５０の付勢力の作用によって、図２Ｅに示すように表示部２０は全開状態へと移行する。全開状態において、腕部５３ａと連結部５５とが更に開こうとし、腕部５３ｂと連結部５５とについても開こうとする。このようにして付勢部材５０は、全開状態を維持させる。尚、全開状態から半開状態、半開状態から全閉状態への移行は、上述した動作順と逆の順である。
【００２３】
以上のように、本体部１０及び表示部２０は、スライド範囲の両端位置及び途中位置で停止可能である。従って、本実施例の携帯電話機は、全閉状態、半開状態、全開状態の３つの使用形態を有している。利用者は、使用状況に応じて３つの使用形態の中から所望の形態を選択できる。
【００２４】
例えば、全閉、全開状態の２つの使用形態しかない携帯電話機の場合には、利用者の使用状況によっては、使いにくい場合が起こり得る。例えば、通話のみを利用する場合に、全開状態で使用すると携帯電話機の全長が長くなりすぎる場合が起こり得る。また、ファンクションキー１４を操作せずにテンキー１２のみを操作する場合にも、同様の問題が起こり得る。特に、スライド範囲が大きい場合には、このような問題が起こり得る。また、大型のディスプレイ２２を採用するために表示部２０に操作部を設けない場合には、本体部１０側に操作部を全て設ける必要がある。本体部１０側に操作部を全て設けると、全ての操作部を露出させるために、スライド範囲を大きくする必要がある。本発明者は、このような場合に、上記のような問題が起こり得ることを見出した。
【００２５】
実施例１の携帯電話機では、テンキー１２のみを操作する場合や、全開状態では使用しにくい場合に、半開状態とすることができる。このように実施例１の携帯電話機は、利便性が向上している。
【００２６】
次に、付勢部材５０の構造について詳細に説明する。
コイル部５１ａ、腕部５３ａのバネ定数と、コイル部５１ｂ、腕部５３ｂのバネ定数とは、以下の式により算出することができる。
【数１】
2010233127.tif 000003
【００２７】
Ｅは縦弾性係数、ｄは線径、Φはコイル部の外径、ｎはコイル部の巻数、ａ、ｂは、腕の長さを示している。尚、例えば、コイル部５１ａのバネ定数を算出する場合、腕部５３ａの長さを上記ａに代入し、連結部５５の長さを上記ｂに代入することにより算出できる。
【００２８】
図２Ａ〜２Ｃに示したように、全閉状態から半開状態へ移行する過程においては、コイル部５１ａ、腕部５３ａの変形よりも、コイル部５１ｂ、腕部５３ｂの方が先に変形している。従って、コイル部５１ａ、腕部５３ａのバネ定数Ｋａは、コイル部５１ｂ、腕部５３ｂのバネ定数Ｋｂよりも大きく設定されている。バネ定数は、大きいほど変形しにくいことを示す。実施例１の携帯電話機では、腕部５３ａの長さは、腕部５３ｂの長さよりも短く設定されている。これにより、バネ定数Ｋａは、バネ定数Ｋｂよりも大きく設定され、図２Ｃに示したように付勢部材５０が変形する。尚、バネ定数を変化させるにはコイル部の外径を相違させてもよいし、コイル部の巻数を相違させてもよいし、又はこれらを組み合わせてよい。
【００２９】
次に、付勢部材５０の付勢力について詳細に説明する。
図３は、付勢部材５０の付勢力を示したグラフである。図３は、縦軸は付勢部材５０の付勢力を示しており、横軸はスライド量を示している。詳細には、縦軸においては、全閉状態に維持しようとする方向での付勢力を正とし、全開状態に維持しようとする方向での付勢力を負として示している。尚、図３に示した破線Ａ〜Ｅは、それぞれ図２Ａ〜Ｅに対応している。
【００３０】
付勢部材５０の付勢力に抗してＡ地点（全閉状態）からＢ地点までスライドさせると、上述したバネ定数の相違により、腕部５３ａと連結部５５とよりも、腕部５３ｂと連結部５５とが先に閉じはじめる。Ｂ地点から更に表示部２０をスライドさせると、付勢力は正から負へと変化する。そして、付勢部材５０の付勢力に従って、表示部２０はＣ地点（半開状態）までスライドする。
【００３１】
Ｃ地点においては、腕部５３ｂと連結部５５との角度は最小になり、腕部５３ａと連結部５５との角度は最大になる。また、Ｃ地点では、付勢力のスライド方向の成分は略ゼロとなる。
【００３２】
次に、Ｃ地点からさらに表示部２０をスライドさせると、Ｄ地点において付勢力は、正から負の値へと変化する。Ｄ地点を越えると、付勢力によりアシストされ、Ｅ地点（全開状態）へ移行して、表示部２０は全開状態となる。また、付勢部材５０の付勢力により表示部２０は全開状態に維持される。
【００３３】
以上のようにして、実施例１の携帯電話機は、半開状態に維持することができる。例えば、全開及び全閉状態の２つの使用形態のみを有した一般的なスライド式の携帯電話機は、半開状態で停止されることを想定していない。即ち、一般的な携帯電話機では、半開状態で停止しないように設計されている。従って、例えばこのような一般的な携帯電話機を半開状態に維持するためには、付勢部材の付勢力に拮抗して半開状態に維持するような機構を設ける必要がある。携帯電話機のような小型機器にこのような機構を設けることは困難である。実施例１の携帯電話機では、付勢部材５０を採用することにより、簡易な構造でスライド範囲の両端位置及び途中位置で、表示部２０を停止させることができる。
【実施例２】
【００３４】
次に、実施例２の携帯電話機について説明する。図４Ａ〜４Ｅは、実施例２の携帯電話機のスライドの説明図である。
【００３５】
図４Ａ〜４Ｅに示すように、コイル部５１ａａは、実施例１の付勢部材５０のコイル部５１ａよりも、外径が小さい。このように、外形を小さくすることによっても、コイル部５１ａａのバネ定数を調整することができる。また、これにより、スライド範囲の途中で停止する位置を微調整することができ、付勢力も調整することができる。
【実施例３】
【００３６】
次に、実施例３の携帯電話機について説明する。図５Ａ、Ｂは、実施例３の携帯電話機の分解斜視図である。図６Ａ〜６Ｅは、実施例３の携帯電話機のスライドの説明図である。
【００３７】
ベース板３０には、突状の規制部３５が設けられている。規制部３５は、スライド範囲の途中で付勢部材５０と当接することにより、表示部２０が途中で停止する位置を規定する機能を有している。以下に詳しく説明する。
【００３８】
コイル部５１ａのバネ定数Ｋａは、コイル部５１ｂのバネ定数Ｋｂよりも大きく設定されている。このため、半開状態において、腕部５３ａが上方へとずれるおそれがある。このように腕部５３ａの位置が本来の位置からずれると、半開状態での表示部２０の停止位置がずれる恐れがある。例えば、スライドさせるたびに、半壊状態での停止位置が異なってくる恐れがある。規制部３５は、腕部５３ａに当接することにより、途中位置での付勢部材５０の姿勢を規定している。これにより、途中位置が規定される。
【実施例４】
【００３９】
次に、実施例４の携帯電話機について説明する。図７Ａ、７Ｂは、実施例４の携帯電話機の分解斜視図である。図８Ａ〜８Ｅは、実施例４の携帯電話機のスライドの説明図である。
【００４０】
図７Ａ、７Ｂに示すように、スライダ４０の本体部１０と対向する側には、磁石４８が設けられている。また、ベース板３０には、磁石３８が設けられている。磁石３８、４８は、半開状態に表示部２０を維持する機能を有している。図８Ｃに示すように、半開状態においては、磁石３８と磁石４８とは、異極同士で向かい合う。このため、磁石３８と磁石４８との間に作用する磁気的吸引力の作用により、半開状態を維持できる。
【００４１】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４２】
携帯機器としては、携帯電話機に限定されない。例えば、ＰＤＡやノートパソコンのように、２つの筐体が直線状にスライド可能に連結された機器であればよい。また、上記携帯電話機は、本体部１０、表示部２０の全てが重なり合いテンキー１２、ファンクションキー１４が隠蔽された状態を全閉状態としているが、このような携帯機器に限定されない。即ち、本体部側に設けられた操作キーが常に露出している携帯機器であってもよい。
【符号の説明】
【００４３】
１０  本体部
１２  テンキー
１４  ファンクションキー
２０  表示部
２２  ディスプレイ
３０  ベース板
３５  規制部
３８、４８  磁石
４０  スライダ  
５０  付勢部材
５１ａ、５１ｂ、５１ａａ  コイル部
５３ａ、５３ｂ  腕部
５５  連結部
【図１】
2010233127.tif 000004
【図２】
2010233127.tif 000005
【図３】
2010233127.tif 000006
【図４】
2010233127.tif 000007
【図５】
2010233127.tif 000008
【図６】
2010233127.tif 000009
【図７】
2010233127.tif 000010
【図８】
2010233127.tif 000011